(57)【要約】【課題】アッパー収納部をベース収納部の上面に載置して使用する際の使用用途に汎用性を持たせることができ、使い勝手を良好にすることができるようにする。【解決手段】ベース収納部４と、このベース収納部上に載置もしくは着脱可能に取り付けうるアッパー収納部５とから構成されたワゴン装置１あって、アッパー収納部を、前後方向に配置される少なくとも１つ以上の収納ボックス６から構成するとともに、この収納ボックスを、下向きコ字状の状態でベース収納部上面に載置することによって、ワゴン上面に物品載置用平面を形成する第一の形態と、前記収納ボックスの天地を逆にして上向きコ字状の状態でベース収納部上面に載置することによって、アッパー収納部の上方と、これに連続する前方とを連続して開放させた第二の形態との少なくとも２つの形態を選択して使用可能にする。【選択図】  図１
2010022680.tif 000002
【特許請求の範囲】
【請求項１】
下部にキャスタが設けられ、前面が開放または前方に引き出しうる引出しを備えるベース収納部と、このベース収納部上に載置もしくは着脱可能に取り付けうるアッパー収納部とから構成されたワゴン装置であって、
アッパー収納部を、前後方向に配置される少なくとも１つ以上の収納ボックスから構成し、これらの少なくとも１つの収納ボックスを、ベース収納部の上面と平行をなす平板状の上板と、この上板における左右端から下方に垂下して設けられた側板とから前方視下向きコ字状に形成するとともに、この収納ボックスを、下向きコ字状の状態でベース収納部上面に載置することによって、前記上板により、ワゴン上面に物品載置用平面を形成する第一の形態と、前記収納ボックスの天地を逆にして上向きコ字状の状態でベース収納部上面に載置することによって、アッパー収納部の上方と、これに連続する前方とを連続して開放させた第二の形態との少なくとも２つの形態を選択して使用可能にしたことを特徴とするワゴン装置。
【請求項２】
アッパー収納部を、前後方向に配置される前部収納ボックスと、後部収納ボックスとにより構成するとともに、前部収納ボックスを、ベース収納部の上面と平行をなす平板状の上板と、この上板における左右端から下方に垂下して設けられた側板とから前方視下向きコ字状に形成し、かつ後部収納ボックスの上面と、前部収納ボックスの前記上板の上面とをほぼ同一平面上に位置させることにより、ワゴン上面に物品載置用平面を形成する第一の形態と、前記前部収納ボックスの天地を逆にして上向きコ字状の状態でベース収納部上面に載置することによって、前部収納ボックスの上方と、これに連続する前方とを連続して開放させた第二の形態との少なくとも２つの形態を選択して使用可能にした請求項１記載のワゴン装置。
【請求項３】
アッパー収納部、もしくは前部収納ボックスの後面を、後面板によって閉塞した請求項１または２記載のワゴン装置。
【請求項４】
アッパー収納部、もしくは前部収納ボックスにおける、ベース収納部上面との当接部に、ベース収納部との連結手段を設けた請求項１〜３のいずれかに記載のワゴン装置。
【請求項５】
前部収納ボックスにおける、ベース収納部上面との当接部である側板下面および上板上面に、ベース収納部との連結手段を設けた請求項２に従属する請求項４記載のワゴン装置。
【請求項６】
天板高さを使用者の体格に合わせて変更可能としたデスク装置と、請求項１〜５のいずれかに記載のワゴン装置とを組み合わせて構成した組合せ家具であって、
天板高さが高い場合には、ベース収納部上にアッパー収納部を取り付けた状態で用途に応じて使用形態を選択して使用可能とするとともに、
天板高さが低い場合には、アッパー収納部をベース収納部から取り外して、デスク装置の天板上に載置して使用可能としたことを特徴とする組合せ家具。
【発明の詳細な説明】
【技術分野】
【０００１】
本発明は、高さ調節可能な机等のデスク装置における天板の下方に装入して、袖箱等として使用されるワゴン装置、およびこのワゴン装置とデスク装置との組合せ家具に関する。
【背景技術】
【０００２】
家庭等の室内において使用される組合せ家具としては、例えば学習机等のデスク装置と、袖箱等のワゴン装置とを組み合わせて構成したものがある。
机の天板は、子供等の使用者の体格に合わせて高さ調節し得るようになっているとともに、天板の下方に装入して使用される袖箱は、その上下寸法が、天板を下限位置まで下げた際でも、天板の下方に装入して収められるように、天板の下面の高さよりも小さく設定することにより、使い勝手を良くしているのが一般的である。
【０００３】
そのため、机における天板の高さを高くすると、その下面と袖箱との間にデッドスペースが生じ、その空間を有効に使用できないばかりでなく、袖箱の物品収納量が減る。
【０００４】
こうした問題を配慮し、袖箱を、下部にキャスタを設けたキャビネット本体(ベース収納部)と、その上面に着脱可能に載置される上部収納体(アッパー収納部)とに上下に分割可能にするとともに、上部収納体を、天板の高さに応じてキャビネット本体上に載置したり、取り外したりして使用しうるようにしたものがある（例えば、特許文献１参照）。
【０００５】
また、上部収納体を、天板の下部に収納して使用可能にすることにより、天板上の作業空間や天板下部の収納空間を使い勝手良く有効に利用できるようにしたものが公知である（例えば特許文献２参照）。
【０００６】
しかし、特許文献２に記載の組合せ家具は、ワゴン装置におけるキャビネット本体の上面に載置される上部収納体が、１つの形態に限られているために、キャビネット本体上や天板上に載置して使用する際に、使用用途に汎用性がなく、場合によっては使い勝手が悪いという問題があった。
【特許文献１】特開２００２−２５３３５６号公報
【特許文献２】特開２００７−０７５２７５号公報
【発明の開示】
【発明が解決しようとする課題】
【０００７】
本発明は、上記現状に鑑み、アッパー収納部をベース収納部の上面に載置して使用する際の使用用途に汎用性を持たせることができ、使い勝手を良好にすることができるようにしたワゴン装置、およびこのワゴン装置とデスク装置との組合せ家具を提供することを目的とする。
【課題を解決するための手段】
【０００８】
上記課題は、「特許請求の範囲」における各請求項に示すように、次のような構成からなる発明によって解決される。
【０００９】
（１）  下部にキャスタが設けられ、前面が開放または前方に引き出しうる引出しを備えるベース収納部と、このベース収納部上に載置もしくは着脱可能に取り付けうるアッパー収納部とから構成されたワゴン装置であって、アッパー収納部を、前後方向に配置される少なくとも１つ以上の収納ボックスから構成し、これらの少なくとも１つの収納ボックスを、ベース収納部の上面と平行をなす平板状の上板と、この上板における左右端から下方に垂下して設けられた側板とから前方視下向きコ字状に形成するとともに、この収納ボックスを、下向きコ字状の状態でベース収納部上面に載置することによって、前記上板により、ワゴン上面に物品載置用平面を形成する第一の形態と、前記収納ボックスの天地を逆にして上向きコ字状の状態でベース収納部上面に載置することによって、アッパー収納部の上方と、これに連続する前方とを連続して開放させた第二の形態との少なくとも２つの形態を選択して使用可能にする。
【００１０】
（２）  上記（１）項において、アッパー収納部を、前後方向に配置される前部収納ボックスと、後部収納ボックスとにより構成するとともに、前部収納ボックスを、ベース収納部の上面と平行をなす平板状の上板と、この上板における左右端から下方に垂下して設けられた側板とから前方視下向きコ字状に形成し、かつ後部収納ボックスの上面と、前部収納ボックスの前記上板の上面とをほぼ同一平面上に位置させることにより、ワゴン上面に物品載置用平面を形成する第一の形態と、前記前部収納ボックスの天地を逆にして上向きコ字状の状態でベース収納部上面に載置することによって、前部収納ボックスの上方と、これに連続する前方とを連続して開放させた第二の形態との少なくとも２つの形態を選択して使用可能にする。
【００１１】
（３）  上記（１）項または（２）項において、アッパー収納部、もしくは前部収納ボックスの後面を、後面板によって閉塞する。
【００１２】
（４）  上記（１）〜(３)項のいずれかにおいて、アッパー収納部、もしくは前部収納ボックスにおける、ベース収納部上面との当接部に、ベース収納部との連結手段を設ける。
【００１３】
（５）  上記（２）項に従属する(４)項において、前部収納ボックスにおける、ベース収納部上面との当接部である側板下面および上板上面に、ベース収納部との連結手段を設ける。
【００１４】
（６）  天板高さを使用者の体格に合わせて変更可能としたデスク装置と、請求項１〜５のいずれかに記載のワゴン装置とを組み合わせて構成した組合せ家具であって、天板高さが高い場合には、ベース収納部上にアッパー収納部を取り付けた状態で用途に応じて使用形態を選択して使用可能とするとともに、天板高さが低い場合には、アッパー収納部をベース収納部から取り外して、デスク装置の天板上に載置して使用可能とする。
【発明の効果】
【００１５】
本発明によると、次のような効果を奏することができる。
請求項１記載の発明によれば、アッパー収納部を、前後方向に配置される少なくとも１つ以上の収納ボックスから構成し、これらの少なくとも１つの収納ボックスを、ベース収納部の上面と平行をなす平板状の上板と、この上板における左右端から下方に垂下して設けられた側板とから前方視下向きコ字状に形成するとともに、この収納ボックスを、下向きコ字状の状態でベース収納部上面に載置することによって、上板により、ワゴン上面に物品載置用平面を形成する第一の形態と、前部収納ボックスの天地を逆にして上向きコ字状の状態でベース収納部上面に載置することによって、アッパー収納部の上方と、これに連続する前方とを連続して開放させた第二の形態との少なくとも２つの形態を選択して使用可能にしてあるため、アッパー収納部を、ベース収納部の上面に載置して使用する際の使用用途に汎用性を持たせることができ、使い勝手を良好にすることができる。
【００１６】
請求項２記載の発明によれば、アッパー収納部を、前後方向に配置される前部収納ボックスと、後部収納ボックスとにより構成するとともに、前部収納ボックスを、ベース収納部の上面と平行をなす平板状の上板と、この上板における左右端から下方に垂下して設けられた側板とから前方視下向きコ字状に形成し、かつ後部収納ボックスの上面と、前部収納ボックスの上板の上面とをほぼ同一平面上に位置させることにより、ワゴン上面に物品載置用平面を形成する第一の形態と、前部収納ボックスの天地を逆にして上向きコ字状の状態でベース収納部上面に載置することによって、前部収納ボックスの上方と、これに連続する前方とを連続して開放させた第二の形態との少なくとも２つの形態を選択して使用可能にしてあるため、前記請求項１と同様の効果を奏するとともに、より多様の使い勝手に対応することができる。
【００１７】
請求項３記載の発明によれば、アッパー収納部、もしくは前部収納ボックスの後面を、後面板によって閉塞してあるため、アッパー収納部、もしくは前部収納ボックスの強度を向上させることができるとともに、ベース収納部上面に安定して載置することができる。
【００１８】
請求項４記載の発明によれば、アッパー収納部、もしくは前部収納ボックスにおける、ベース収納部上面との当接部に、ベース収納部との連結手段を設けてあるため、アッパー収納部を、ベース収納部上面に安定して連結することができ、ベース収納部上面からアッパー収納部が落下するのを、効果的に防止することができる。
【００１９】
請求項５記載の発明によれば、前部収納ボックスにおける、ベース収納部上面との当接部である側板下面および上板上面に、ベース収納部との連結手段を設けてあるため、前部収納ボックスを、ベース収納部上面に安定して連結することができ、ベース収納部上面から前部収納ボックスが落下するのを、効果的に防止することができる。
【００２０】
請求項６記載の発明によれば、天板高さを使用者の体格に合わせて変更可能としたデスク装置と、前記したワゴン装置とを組み合わせ、天板高さが高い場合には、ベース収納部上にアッパー収納部を取り付けた状態で用途に応じて使用形態を選択して使用可能としてあるため、組合せ家具としての使い勝手を良好にすることができる。
また、天板高さが低い場合には、アッパー収納部をベース収納部から取り外して、デスク装置の天板上に載置して使用可能としてあるため、アッパー収納部を天板上に体裁よく、しかも使い勝手良く、コンパクトに収めて配置することができる。
【発明を実施するための最良の形態】
【００２１】
以下、本発明の実施形態を図面を参照して説明する。
図１は、本発明の第１実施形態におけるワゴン装置のアッパー収納部の第１の使用形態を示す斜視図、図２は、ベース収納部からアッパー収納部を取り外したワゴン装置の分解斜視図、図３は、図１のIII−III線におけるベース収納部とアッパー収納部との連結部の要部拡大断面図である。
【００２２】
図１および図２に示すように、本発明のワゴン装置１は、前面が開放、または物品が収納される引出し２を前方に引き出しうるように備え、かつ下部に設けられた複数のキャスタ３によって移動自在な方形箱状のキャビネット本体（ベース収納部）４と、このキャビネット本体４の上面４ａに載置されて着脱可能に取り付けられた上部収納体（アッパー収納部）５とによって構成されている。
この上部収納体５は、左右方向に細長い方形箱状をなす前側の前部収納ボックス６と後側の後部収納ボックス７とを、前後方向に配置することにより構成されている。
【００２３】
前後両収納ボックス６，７は、互いの上面がほぼ同一平面上にするように、キャビネット本体４の上面４ａに載置しうるようになっているとともに、左右寸法である幅が、キャビネット本体４と同一となるように並列させることにより、上部収納体５を形成している。
【００２４】
前部収納ボックス６は、平板状の上板８と、この上板８における左右端に配置される左右１対の側板９，９と、これら上板８と左右１対の側板９，９の後端に配置されて、前部収納ボックス６の後面を閉塞する平板状の後面板１０とで、前方視下向きコ字状に形成されており、前方は、開放されている。
【００２５】
後部収納ボックス７は、底板１２と、前後の側板１３および左右の側板１４によって形成した、上方が開口する有底収納箱１１の上面開口部１１ａに、蓋板１５を開閉可能に施蓋することにより構成されている。
【００２６】
上部収納体５は、前部収納ボックス６を形成する上板８と左右の側板９，９とによる下向きコ字状の状態でキャビネット本体４の上面４ａに載置することによって、前部収納ボックス６における上板８の上面と後部収納ボックス７における蓋板１５の上面とを、ほぼ同一平面上に位置させることにより、ワゴン上面に物品載置用平面が形成されるような形態でもって使用可能になっている。
【００２７】
キャビネット本体４と、前後の収納ボックス６，７からなる上部収納体５とは、図２に示すように、例えばノックダウン金具１６からなる連結手段によって着脱可能に連結されている。
【００２８】
このノックダウン金具１６は、図３に示すように、連結ピン１７と、円柱状の連結駒１８とからなる公知のものであり、連結ピン１７の一端部は、雄ねじ部１７ａとなっており、また他端部に連設された小径軸部１７ｂの先端には、拡径頭部１７ｃが一体的に形成されている。
一方、連結駒１８は、ドライバ等により回動可能な十字溝１８ａを有し、連結ピン１７の拡径頭部１７cが係合される係合溝１８ｂと、小径軸部１７ｂが摺動可能に嵌合される溝幅の小さな円弧状をなすガイド溝１８ｃとが、互いに連通するようにして、円周方向に向かって形成されている。
【００２９】
このノックダウン金具１６を用いて、キャビネット本体４と上部収納体５の前部収納ボックス６とを連結するには、例えば、次の手順による。
ます、キャビネット本体４の上面４ａに設けた雌ねじ穴１９に、連結ピン１７の雄ねじ部１７ａを起立状態で螺合させて取付けた後、側板９の側面に、側方に開口しうるように穿設した有底孔２０に連結駒１８を嵌合する。
【００３０】
次いで、側板９の下面に、有底孔２０と連通するようにして設けられた上下方向を向くピン挿入孔２１に、連結ピン１７を挿入し、その小径軸部１７ｂと拡径頭部１７ｃを、連結駒１８のガイド溝１８ｃと係合溝１８ｂとに嵌合した後、連結駒１８を、その側面の十字溝１８ａに差し込んだドライバ等により回動させる。
これにより、連結ピン１７と連結駒１８とが互いに係合して抜け止めされ、キャビネット本体４と上部収納体５の前部収納ボックス６とが連結される。
【００３１】
同様にして、キャビネット本体４と後部収納ボックス７とを連結する。
なお、前部収納ボックス６の上板８および後部収納ボックス７の底板１２におけるキャビネット本体４の上面４ａとの当接面には、キャビネット本体４に起立状態で取り付けられるノックダウン金具１６の連結ピン１７に整合しうるように、連結駒１８が嵌合される有底孔２０および連結ピン１７が挿入されるピン挿入穴２１が、それぞれ予め設けられている。
【００３２】
図４は、上部収納体５の第２の使用形態を示すワゴン装置１の斜視図である。
【００３３】
本使用形態では、前部収納ボックス６の天地を逆にして、上板８を底板として、後方が後面板１０で閉塞されるようにするとともに、上方と、これに連続する前方とが連続して開放しうるような上向きコ字状の状態で、キャビネット本体４の上面４ａに載置されている。
【００３４】
図５は、上部収納体５の第３の使用形態を示すワゴン装置１の斜視図である。
【００３５】
本使用形態では、前部収納ボックス６が、上板８を後面板とし、後面板１０を底板として、前記第２の使用形態と同様に、上方と、これに連続する前方とが連続して開放するような上向きコ字状の状態でキャビネット本体４の上面４ａに載置されている。
【００３６】
図６は、上部収納体５の第４の使用形態を示すワゴン装置１の斜視図である。
【００３７】
本使用形態では、前部収納ボックス６を、後面板１０を底板として、前方が上板８で閉塞され、後方が後部収納ボックス７の前面側の側板１３でそれぞれ閉塞されるようにして、上方のみが開放する後向きコ字状の形態でもって、キャビネット本体４の上面４ａに載置されている。
【００３８】
図７は、本発明のワゴン装置とデスク装置とを組み合わせて構成した組合せ家具における、アッパー収納部の第１の使用形態を示す斜視図である。
【００３９】
図７に示すように、第１実施形態で示すワゴン装置１を、デスク装置２２における天板２３の下方に装入して組み込むことにより、組合せ家具を構成している。
デスク装置２２における天板２３の高さＴ１は、ワゴン装置１の高さＴ２よりも、やや高目に調整されている。
上部収納体５の前部収納ボックス６は、図１に示すように、前方視において、前方のみが開口する下向きコ字状の使用形態になっている。
【００４０】
また、図８に示すように、デスク装置２２における天板２３の高さＴ３が、ワゴン装置１の高さＴ２よりも、相当程度高く調整されている場合には、前部収納ボックス６の使用形態は、図４〜図６に示したいずれの形態であってもよい。
【００４１】
さらに、図９に示すように、デスク装置２２における天板２３の高さＴ４が、ワゴン装置１のキャビネット本体４の高さＴ５よりも高くて、キャビネット本体４の上面４ａに上部収納体５を載置したときの高さＴ２よりも低く調整されている場合には、上部収納体５を、キャビネット本体４の上面４ａから取り外して、デスク装置２２における天板２３上の後方に、左右方向に横並びに載置するか、あるいは図１０に示すように、前部収納ボックス６上に後部収納ボックス６を上下に積み重ねて使用することも適宜任意に選択できる。
【図面の簡単な説明】
【００４２】
【図１】本発明の一実施形態におけるワゴン装置のアッパー収納部の第１の使用形態を示す斜視図である。
【図２】ベース収納部からアッパー収納部を取り外したワゴン装置の分解斜視図である。
【図３】図１のIII−III線におけるベース収納部とアッパー収納部との連結部の要部拡大断面図である。
【図４】アッパー収納部の第２の使用形態を示すワゴン装置の斜視図である。
【図５】アッパー収納部の第３の使用形態を示すワゴン装置の斜視図である。
【図６】アッパー収納部の第４の使用形態を示すワゴン装置の斜視図である。
【図７】本発明のワゴン装置とデスク装置とを組み合わせて構成した組合せ家具における、アッパー収納部の第１の使用形態を示す斜視図である。
【図８】天板高さの上限位置での組合せ家具における、アッパー収納部の第２の使用形態を示す斜視図である。
【図９】同じく、組合せ家具における、アッパー収納部の第３の使用形態を示す斜視図である。
【図１０】同じく、組合せ家具における、アッパー収納部の第４の変形使用形態における他の形態を示す斜視図である。
【符号の説明】
【００４３】
１    ワゴン装置
２    引出し
３    キャスタ
４    キャビネット本体（ベース収納部）
４ａ  上面
５    上部収納体（アッパー収納部）
６    前部収納ボックス
７    後部収納ボックス
８    上板
９    側板
１０  閉塞面板
１１  有底収納箱
１１ａ  上面開口部
１２  上板
１３  側板
１４  側板
１５  蓋板
１６  ノックダウン金具（連結手段）
１７  連結ピン
１７ａ  雄ねじ部
１７ｂ  小径軸部
１７ｃ  拡径頭部
１８  連結駒
１８ａ  十字溝
１８ｂ  係合溝
１８ｃ  ガイド溝
１９  雌ねじ穴
２０  有底孔
２１  ピン挿入孔
２２  デスク装置
２３  天板
【図１】
2010022680.tif 000003
【図２】
2010022680.tif 000004
【図３】
2010022680.tif 000005
【図４】
2010022680.tif 000006
【図５】
2010022680.tif 000007
【図６】
2010022680.tif 000008
【図７】
2010022680.tif 000009
【図８】
2010022680.tif 000010
【図９】
2010022680.tif 000011
【図１０】
2010022680.tif 000012